(57)【要約】      （修正有）【課題】折りたたみ可能で、床面に置いて使用する際に安定して置くことができる簡易スコアボードを提供する。【解決手段】簡易スコアボードのボード（２）は、耐水性、耐候性を有する樹脂板材から縦長の長方形に形成され、長方形の短辺と平行に備えた複数の折曲部（２ａ）によって、先端面部、前面部、天面部、背面部、底面部１、底面部２に面を分割し、天面部には、複数のリング（４）とリングに挿通された表示カード（５）を備え、先端面部と背面部と底面部２に止着手段であるスナップホック（３）を備え、簡易スコアボードとして使用状態とするときには、先端面部と前面部との境の折曲部を谷折り、前面部と天面部、天面部と背面部、背面部と底面部１のそれぞれの境の折曲部を山折りし、先端面部と底面部２に備えられた止着手段によって止着固定して側面から見て略三角形状に形成したことで、安定して床面に置けるようになった。【選択図】図１
0003214816.tif 000002
【実用新案登録請求の範囲】
【請求項１】
簡易スコアボードの本体は、ボードと、ボードの折りたたみ収納状態と使用状態を固定して維持するための止着手段と、対戦の得点などを表示する表示カードをめくれるように挿通した複数のリングとから構成され、ボードは、耐水性、耐候性を有する樹脂板材から縦長の長方形に形成され、長方形の短辺と平行に備えた複数の折曲部によって、先端面部、前面部、天面部、背面部、底面部１、底面部２に面を分割し、天面部には、複数のリングとリングに挿通された表示カードを備え、先端面部と背面部と底面部２に止着手段を備え、簡易スコアボードとして使用状態とするときには、先端面部と前面部との境の折曲部を谷折り、前面部と天面部、天面部と背面部、背面部と底面部１のそれぞれの境の折曲部を山折りし、先端面部と底面部２に備えられた止着手段によって止着固定して側面から見て略三角形状に形成するようにしたことを特徴とする簡易スコアボード。
【請求項２】
簡易スコアボードの本体は、ボードと、ボードの折りたたみ収納状態と使用状態を固定して維持するための止着手段と、対戦の得点などを表示する表示カードをめくれるように挿通した複数のリングとから構成され、ボードは、耐水性、耐候性を有する樹脂板材から縦長の長方形に形成され、長方形の短辺と平行に備えた複数の折曲部によって、先端面部、前面部、天面部、背面部、底面部１、底面部２に面を分割し、天面部には、複数のリングとリングに挿通された表示カードを備え、止着手段として先端面部には、複数のスナップホックからなる第１スナップホック列、背面部には、複数のスナップホックからなる第３スナップホック列、底面部２には、第２スナップホック列を備え、簡易スコアボードとして使用状態とするときには、先端面部と前面部との境の折曲部を谷折り、前面部と天面部、天面部と背面部、背面部と底面部１のそれぞれの境の折曲部を山折りし、先端面部に備えられた第１スナップホック列の各スナップホックと、底面部２に備えられた第２スナップホック列の各スナップとを合わせて止着固定して側面から見て略三角形状に形成するようにしたことを特徴とする簡易スコアボード。
【請求項３】
底面部１には、持ち運び用のハンドルを備えたことを特徴とする請求項１、請求項２の何れかに記載の簡易スコアボード。
【請求項４】
ボードの折りたたみ収納状態と使用状態を固定して維持するための止着手段は、スナップホック、マグネットホック、面ファスナーの何れかあるいはその組み合わせであることを特徴とする請求項１乃至請求項３の何れかに記載の簡易スコアボード。
【請求項５】
天面部に備えられたリングに挿通された表示カードは、得点カードとセット取得数カードと団体戦勝数カードの組み合わせ、得点カードとセット取得数カードの組み合わせ、得点カードだけの何れかであることを特徴とする請求項１乃至請求項４の何れかに記載の簡易スコアボード。
【考案の詳細な説明】
【技術分野】
【０００１】  本考案は、ソフトテニスなどの球技の得点を表示するスコアボードに関し、特に折りたたみ式でどこでも手軽に使用することが可能な簡易スコアボードに関する。
【背景技術】
【０００２】  従来、テニス、ソフトテニス、バトミントン、卓球などの試合の際の競技者及び観戦者へのスコアの周知方法は、競技場に既設のスコアボードや審判の手の合図と、コール（発声）によって行われている。正式な競技場など施設が整っている場合は、テニスコートなどの近傍の壁面に既設の電光スコア表示板が備えられていたり、可搬式の大型スコアボードが備えられているが、学校や公共施設の体育館やグランドでは、前述した電光スコア表示板や可搬式の大型スコアボードが備えられていることは極めて希である。そのため、競技者や観戦者は審判のコールによって両チームの得点取得状況を把握している。【０００３】  そこで、スコアボードがない場所でも手軽に設置したり持ち運ぶことが可能な簡易スコアボードが提案されている。実用新案登録第３１４０２５５公報（特許文献１）に開示された簡易スコアボードは、折り畳み可能な折曲部を備えた板状の本体にカード支持具を備え、該カード支持具には、一対の得点カードと、セット取得数カードと、団体戦勝数カードを備えたので、ソフトテニスなどの球技の試合の際、通常の得点やセット取得数だけではなく団体戦勝数を表示するようにしたものである。また、本体は折りたたみ式なので持ち運びや保管が容易なものである。
【先行技術文献】
【０００４】
【特許文献１】実用新案登録第３１４０２５５公報
【考案の概要】
【考案が解決しようとする課題】
【０００５】  特許文献１に示された簡易スコアボードは、当該公報の段落番号００２０の記載及び図４、図５に示されるように、本体を折りたたみ可能とするために、本体（１）は発泡ポリエチレンやポリプロピレン樹脂などの耐水性、耐候性を有するシート素材からなり、折り畳みが可能に折曲部（１ｂ）を複数本平行に形成している。折曲部（１ｂ）は、全体形状の抜きと同時に折り線を圧設することで容易に形成可能である。このように形成された本体（１）は、不使用時は当該公報の図５に示されるように折り線で折り曲げてたたんでスナップホックなどからなる止着具（４）で本体（１）の端部を固定して、持ち運びや保管が容易なようにコンパクトに収納される。なお、本体（１）に形成されたスリット（１ａ）は、図５に示されるように折り畳んだ際に、カード支持具（３）を逃げるためのもので、カード支持具（３）の側部が本体（１）から出ることで薄く折りたたむことが可能となる。一方、使用時は当該公報の図５の状態から止着具（４）を外して、本体（１）の内側を表側に反転して止着具（４）で固定することで、当該公報の図４に示すように、地面やテーブルに載置可能に側面視略三角形状に形成される。【０００６】  ところで、本体（１）は、厚さ１から２ｍｍ程度の発泡ポリエチレンやポリプロピレン樹脂などの板材からなる。このような材料は、耐水性や耐候性を有するとともに丈夫で軽量なので様々な用途に使用される材料である。一方、板材として平面であるものの柔軟性も備えた材料なので容易に撓む特性がある。また、本体（１）に備えられた折り線である折曲部（１ｂ）は、本体（１）の全体形状の抜きと同時にＶ字状やＵ字状などの溝状に圧設して折り線として形成されヒンジとしての役割となる。【０００７】  このように形成された折曲部（１ｂ）は、ある意味簡易的な折りたたみ手段であるので、きつく折ったとしても折った状態を維持することが難しく、どうしても折った折曲部（１ｂ）が元の平らな状態に戻ろうとする復元力が働いてしまう。このため山折りした折曲部（１ｂ）の間に挟まれた平面部分が、材料自体の柔軟性も相まって折曲部（１ｂ）の山折りした側（外側）に膨らんでしまうといった課題があった。（図９参照）【０００８】  図９は、従来例の変形した状態を示す図である。図８の左側の図は特許文献１の図４で、矢印で示された右側の図は、前記したように山折りした折曲部（１ｂ）によって挟まれた平面部分が折曲部（１ｂ）の山折りした側に引っ張られて外側（山折りした側）に膨らんだ状態を示している。特に膨らみが著しいのは、山折りした折曲部（１ｂ）によって挟まれた左側の斜面の平面部分と底面の平面部分である。特に底面部分が膨らんで変形すると安定して設置することができず、接触や風などちょっとしたことで容易に転倒や移動してしまい使用に差し支えるといった課題があった。一方、図９に示されるように、折曲部（１ｂ）によって挟まれていない図における右側の斜面は、折曲部（１ｂ）が上側の１箇所だけであって下側が開放されているので、折曲部（１ｂ）の平らになろうとする復元力の作用の影響が少なく平らな状態を維持することができている。【０００９】  そこで、本考案は上記した課題を考慮し、安定��て設置が可能な簡易スコアボードを提供することを目的とするものである。
【課題を解決するための手段】
【００１０】  かかる課題を解決するために、本考案の請求項１によれば、簡易スコアボードの本体は、ボードと、ボードの折りたたみ収納状態と使用状態を固定して維持するための止着手段と、対戦の得点などを表示する表示カードをめくれるように挿通した複数のリングとから構成され、ボードは、耐水性、耐候性を有する樹脂板材から縦長の長方形に形成され、長方形の短辺と平行に備えた複数の折曲部によって、先端面部、前面部、天面部、背面部、底面部１、底面部２に面を分割し、天面部には、複数のリングとリングに挿通された表示カードを備え、先端面部と背面部と底面部２に止着手段を備え、簡易スコアボードとして使用状態とするときには、先端面部と前面部との境の折曲部を谷折り、前面部と天面部、天面部と背面部、背面部と底面部１のそれぞれの境の折曲部を山折りし、先端面部と底面部２に備えられた止着手段によって止着固定して側面から見て略三角形状に形成するようにしたことで解決される。【００１１】  かかる課題を解決するために、本考案の請求項２によれば、簡易スコアボードの本体は、ボードと、ボードの折りたたみ収納状態と使用状態を固定して維持するための止着手段と、対戦の得点などを表示する表示カードをめくれるように挿通した複数のリングとから構成され、ボードは、耐水性、耐候性を有する樹脂板材から縦長の長方形に形成され、長方形の短辺と平行に備えた複数の折曲部によって、先端面部、前面部、天面部、背面部、底面部１、底面部２に面を分割し、天面部には、複数のリングとリングに挿通された表示カードを備え、止着手段として先端面部には、複数のスナップホックからなる第１スナップホック列、背面部には、複数のスナップホックからなる第３スナップホック列、底面部２には、第２スナップホック列を備え、簡易スコアボードとして使用状態とするときには、先端面部と前面部との境の折曲部を谷折り、前面部と天面部、天面部と背面部、背面部と底面部１のそれぞれの境の折曲部を山折りし、先端面部に備えられた第１スナップホック列の各スナップホックと、底面部２に備えられた第２スナップホック列の各スナップとを合わせて止着固定して側面から見て略三角形状に形成するようにしたことで解決される。【００１２】  かかる課題を解決するために、本考案の請求項３によれば、底面部１には持ち運び用のハンドルを備えたことで解決される。【００１３】  かかる課題を解決するために、本考案の請求項４によれば、ボードの折りたたみ収納状態と使用状態を固定して維持するための止着手段は、スナップホック、マグネットホック、面ファスナーの何れかあるいはその組み合わせであることで解決される。【００１４】  かかる課題を解決するために、本考案の請求項５によれば、天面部に備えられたリングに挿通された表示カードは、得点カードとセット取得数カードと団体戦勝数カードの組み合わせ、得点カードとセット取得数カードの組み合わせ、得点カードだけの何れかであることで解決される。
【考案の効果】
【００１５】  簡易スコアボードの本体は、ボードと、ボードの折りたたみ収納状態と使用状態を固定して維持するための止着手段と、対戦の得点などを表示する表示カードをめくれるように挿通した複数のリングとから構成され、ボードは、耐水性、耐候性を有する樹脂板材から縦長の長方形に形成され、長方形の短辺と平行に備えた複数の折曲部によって、先端面部、前面部、天面部、背面部、底面部１、底面部２に面を分割し、天面部には、複数のリングとリングに挿通された表示カードを備え、先端面部と背面部と底面部２に止着手段を備え、簡易スコアボードとして使用状態とするときには、先端面部と前面部との境の折曲部を谷折り、前面部と天面部、天面部と背面部、背面部と底面部１のそれぞれの境の折曲部を山折りし、先端面部と底面部２に備えられた止着手段によって止着固定して側面から見て略三角形状に形成したので、折曲部を折った際に生じる平らな状態に戻ろうとする復元力による比較的大きな面である前面部、背面部、底面部２の膨らみを抑えて、特に簡易スコアボードとして床面に置いて使用する際に、設置面となる底面部分の膨らみを抑え、安定して床面に置くことが可能となった。
【図面の簡単な説明】
【００１６】
【図１】本考案の全体斜視図である。
【図２】簡易スコアボードをたたんだ状態の正面図である。
【図３】簡易スコアボードをたたんだ状態の右側面図である。
【図４】簡易スコアボードの使用状態を示す右面図である。
【図５】簡易スコアボードを開いた状態の内側を示す図である。
【図６】図５において表示カードをめくった状態を示す図である。
【図７】表示カードの表と裏の表示を示す図である。
【図８】本考案の他の実施例を示す図である。
【図９】従来例の変形した状態を示す図である。
【考案を実施するための形態】
【００１７】  本考案の簡易スコアボードについて、図面を参照して詳細に説明する。図１は、本考案の簡易スコアボードの全体斜視図、図２は、簡易スコアボードをたたんだ状態の正面図、図３は、簡易スコアボードをたたんだ状態の右側面図、図４は簡易スコアボードの使用状態を示す右面図である。図５は、簡易スコアボードを開いた状態の内側を示す図である。
【００１８】  図１乃至５に示されるように、簡易スコアボードの本体（１）は、折りたたみ可能なボード（２）、ボード（２）の折りたたみ収納状態と使用状態を固定して維持するための止着手段であるスナップホック（３）、表示カードをめくれるように挿通するリング（４）、対戦のスコアやセット取得数、団体戦勝数を表示する表示カード（５）、折りたたんだときの持ち運びのためのハンドル（６）とから構成される。ボード（２）は、厚さ約１ｍｍから２ｍｍ程度の耐水性、耐候性を有する発泡ポリエチレンやポリプロピレン樹脂などの素材から長方形に抜き型で打ち抜きによって形成され、打ち抜きと同時に複数本の折曲部（２ａ）を長方形のボード（２）の短手方向に複数本Ｖ字状やＵ字状などの溝状に圧設して折り線として形成される。また、図２及び３に示されるように、折りたたんだ収納状態と、図１及び４に示されるようにコアボードとして使用する状態を維持するための止着手段であるスナップホック（３）を適宜箇所に備える。図及び説明においては、止着手段をスナップホックとして示したが、雄雌で止着することができれば良いのでスナップホックに限定することなくマグネットホックや面ファスナーなどを用いても差し支えない。また、図１に示されるように、本体（１）の正面（前面部（２ｃ））には、破線で表示した表示領域（２ｉ）を備えた。この表示領域（２ｉ）には、競技者の団体名や個人名を表示させる。例えば団体名を記載したステッカーを貼付けたり、表面をホワイトボード様にして容易に消せる筆記具で書き込んだりして表示すれば、競技者や観戦者に対して極めて簡単にわかりやすく団体名や個人名などを確認することができる。
【００１９】  また、ボード（２）の長手方向の中程には後述の表示カード（５）の上部に開孔された孔に挿通して表示カード（５）をめくるための樹脂または金属製のリング（４）をボード（２）の短手方向に複数並べて備える。ハンドル（６）は、図２及び３に示されるように本体（１）を折りたたんで収納状態としたときに持ち運ぶためのハンドルである。
【００２０】  図６は、図５の状態から表示カード（５）をめくった状態を示す図、図７は、表示カード（５）の表と裏の表示状態を示す図である。表示カード（５）は、耐水性を有する紙や塩ビ板、ペット板などの樹脂薄板に得点などの数字を表示するとともに、上部にはリング（４）に挿通するための孔を開孔する。そして表示カード（５）は、自チームと相手チームの一対の得点カード（５ａ）、セット取得数カード（５ｂ）、団体戦勝数カード（５ｃ）とから構成される。また、図７に示されるように、リング（４）に挿通された得点カード（５ａ）、セット取得数カード（５ｂ）、団体戦勝数カード（５ｃ）それぞれをめくったときに、裏側（反対側）の面にも同じスコアが表示されるように、表と裏とで表示された数字を変えている。それぞれの表示カード（５）の裏側には次のカードの表側と同一の表示をするように構成した。これにより、図６に示すように試合の進展にしたがって表示カード（５）を本体（１）の背面側にめくると、背面側にも正面側と同じ得点が表示されるので、競技者及び観戦者双方に試合状況の確認が可能となる。図７においては、得点カード（５ａ）を図示して説明しているが、セット取得数カード（５ｂ）、団体戦勝数カード（５ｃ）でも同様である。これによって、本体の表側、裏側共に同じスコアが表示されるので、コート内にいる競技者側、観戦者席側共にスコアや対戦状況を見ることができる。また、一対のカード（５）は、自分のチームと相手チームの識別のために、白地に黒の数字で表したカードと、墨地に白の数字で表したカードとしているが、単にカード自体の色を分けたり、数字自体の色を分けてもその効果は同様である。
【００２１】  次に、本考案の特徴とする点について詳細に説明をする。本考案は、ボード（２）の材料である発泡ポリエチレンなどの耐水性や耐候性を有するとともに丈夫で軽量、低コストであるといった特性を活かしながら、折曲部（２ａ）の折った際に生じる復元力による平面部分の膨らみを抑えることであって、特に簡易スコアボードとして使用する際に設置面となる底面部分の膨らみを抑えて安定して設置ができるようにすることにある。
【００２２】  前述したように本体（１）の主要な構成物であるボード（２）は、図５に示されるように縦長の長方形に形成され、短手方向にわたって複数本平行に備えた折曲部（２ａ）によって、先端面部（２ｂ）、前面部（２ｃ）、天面部（２ｄ）、背面部（２ｅ）、底面部１（２ｆ）、底面部２（２ｇ）に面を分割される。また、先端面部（２ｂ）には第１スナップホック列（３ａ）と孔部（２ｈ）、天面部（２ｄ）にはリング（４）、背面部（２ｅ）には第３スナップホック列（３ｃ）、底面部２（２ｇ）には第２スナップホック列（３ｂ）を備える。
【００２３】  以上のように構成されたボード（２）は、図３に示される収納するために折りたたんだ状態では、先端面部（２ｂ）、前面部（２ｃ）、天面部（２ｄ）、背面部（２ｅ）、底面部１（２ｆ）、底面部２（２ｇ）の順でボード（２）の表側が山折りに成るように内側に巻き込むように折曲部（２ａ）によって折りたたんでいくことで、背面部（２ｅ）の第３スナップホック列（３ｃ）と底面部２（２ｇ）の第２スナップホック列（３ｂ）とが合わさって止着固定される。この収納するために折りたたんだ状態においては、すべての折曲部（２ａ）が山折りとなるため前面部（２ｃ）、背面部（２ｅ）、底面部２（２ｇ）の比較的大きな面に多少の膨らみは生じるが、単に収納または持ち運ぶだけであるので何ら不都合は生じない。
【００２４】  他方、図１及び４に示されるように簡易スコアボードとして使用する状態にするときは、前述の背面部（２ｅ）の第３スナップホック列（３ｃ）と底面部２（２ｇ）の第２スナップホック列（３ｂ）の止着を外してボード（２）を裏返し、折曲部（２ａ）を折りながら縦長長方形のボード（２）の長手方向の端部の表面同士、すなわち先端面部（２ｂ）と底面部２（２ｇ）の表面同士を重ね合わせスナップホック第１スナップホック列（３ａ）と第２スナップホック列（３ｂ）で止着固定される。
【００２５】  このときの折曲部（２ａ）の折り方は、先端面部（２ｂ）と前面部（２ｃ）との境の折曲部（２ａ）を谷折り、天面部（２ｄ）、背面部（２ｅ）、底面部１（２ｆ）、底面部２（２ｇ）のそれぞれの境の折曲部（２ａ）を山折りすることで、先端面部（２ｂ）の第１スナップホック列（３ａ）と底面部２（２ｇ）の第２スナップホック列（３ｂ）とが合わさって止着固定され、図４に示されるように側面から見て略三角形状に形成される。なお、このとき底面部２（２ｇ）の第２スナップホック列（３ｂ）の表側のスナップホックの頭が出っ張って邪魔になるが、先端面部（２ｂ）に開孔された孔部（２ｈ）にスナップホックの頭が嵌って逃げることで先端面部（２ｂ）が凸凹することを防止する。
【００２６】  このように各部分の折曲部（２ａ）の折り方を谷折りと山折りとで変えることで、折曲部（２ａ）に生じる復元力を抑えて前面部（２ｃ）と底面部２（２ｇ）の比較的大きな面の膨らみを抑えることができる。前面部（２ｃ）の膨らみを抑えるには、先端面部（２ｂ）と前面部（２ｃ）との折曲部（２ａ）が谷折り、前面部（２ｃ）と天面部（２ｄ）との境の折曲部（２ａ）が山折りする。これにより、先端面部（２ｂ）と前面部（２ｃ）との境の折曲部（２ａ）で発生する復元力と、前面部（２ｃ）と天面部（２ｄ）との折曲部（２ａ）発生する復元力の生じる方向が互いに反対面を向くことになるので前面部（２ｃ）の膨らみが相殺され平面状態を維持させることができる。
【００２７】  また、底面部２（２ｇ）の膨らみを抑えるには、背面部（２ｅ）と底面部１（２ｆ）との境の折曲部（２ａ）で復元力が生じるが、底面部１（２ｆ）と底面部２（２ｇ）との境の折曲部（２ａ）は折らずに底面部２（２ｇ）に続きそのまま開放端となるので、底面部１（２ｆ）と底面部２（２ｇ）の膨らみは然程生じない。
なお、底面部１（２ｆ）と底面部２（２ｇ）との境の折曲部（２ａ）は折らずに底面部１（２ｆ）と底面部２（２ｇ）は連続した平面となるので底面積を大きくすることができ、より安定して本体（１）を設置することができる。
【００２８】  図８は、本考案の他の実施例を示す図である。図８においては、表示カード（５）を自チームと相手チームの一対の得点カード（５ａ）とセット取得数カード（５ｂ）だけを備えたものである。また、図示しないが、表示カード（５）を自チームと相手チームの一対の得点カード（５ａ）だけにしても良いことは言うまでもない。
【符号の説明】
【００２９】１    本体
２    ボード
２ａ  折曲部
２ｂ  先端面部
２ｃ  前面部
２ｄ  天面部
２ｅ  背面部
２ｆ  底面部１
２ｇ  底面部２
２ｈ  孔部
２ｉ  表示領域
３    スナップホック
３ａ  第１スナップホック列
３ｂ  第２スナップホック列
３ｃ  第３スナップホック列
４    リング
４ａ  リングベース
４ｂ  リング固定ネジ
５    表示カード
５ａ  得点カード
５ｂ  セット取得数カード
５ｃ  団体戦勝数カード
６    ハンドル
【図１】
0003214816.tif 000003
【図２】
0003214816.tif 000004
【図３】
0003214816.tif 000005
【図４】
0003214816.tif 000006
【図５】
0003214816.tif 000007
【図６】
0003214816.tif 000008
【図７】
0003214816.tif 000009
【図８】
0003214816.tif 000010
【図９】
0003214816.tif 000011